(57)【特許請求の範囲】
【請求項１】
一端に道糸が連結され、他端にコイルまたはフック状締結部が形成された締結部材と、前記締結部に係止され、逆Ｕ字形、ループ、またはフック状をしており、おもりが固着された係止片とを備えた釣り具用締結具であって、少なくとも前記締結部が超弾性を有する形状記憶合金からなり、前記おもりが固定された状態で前記道糸に引張荷重が作用したときに前記道糸の引張強度未満の引張荷重で前記締結部のコイルが解け、またはフックが開き締結部が引張荷重方向に伸びて締結部の係止が外れ、前記係止片とおもりとが一体となって締結部から切り離され、前記切離しののち締結部が元の形状に復帰することを特徴とする釣り具用締結具。
【請求項２】
前記道糸と締結部材とが仕掛けを介して連結された請求項１記載の釣り具用締結具。
【請求項３】
前記コイル状締結部のコイル素線の先端部がコイル内径側に向かって湾曲する鉤部となっている請求項１または２記載の釣り具用締結具。
【発明の詳細な説明】
【０００１】
【発明の属する技術分野】
この発明は、おもりの切離しが容易な釣り具用締結具に関する。
【０００２】
【従来の技術】
天秤仕掛けを使用する釣りにおいて、通常、天秤は道糸に取り付けられ、天秤には一端にハリスを、他端にはおもりが取り付けられる。ハリスに取り付けられた釣針などが海中で何かに引っ掛かった場合は強く引張ると道糸より強度の低いハリスが切れ、天秤仕掛けは回収することができる。しかし、天秤に取り付けられたおもりが海中で岩や海草などに引っ掛かった、いわゆる根掛りの場合は、一般には金属製の天秤やおもりより強度の低い道糸が切断されることになる。したがって、天秤およびハリスなどの仕掛けごと海中に放置されることになり、再度新しい仕掛けを取り付けなければならない。また、海中に道糸、天秤、ハリスなどの仕掛けを捨てることになり、環境保護の点においても大きな問題となっており、これらを防止する有効な方法は現状では見当たらない。
【０００３】
また、従来の胴付仕掛けを使用する釣りでも次のような問題があった。胴付仕掛けでは、釣り竿に取り付けた道糸の先端に、道糸側ハリスが結ばれている。さらに、道糸側ハリスには、先端に釣り針を取り付けた複数のエラスが結ばれている。道糸側ハリスの先端に、おもり側ハリスを介しておもりが取り付けられている。胴付仕掛けの釣りでは、まず最初におもりを必ず海底に届くまで降ろす。その後、おもりを海底より少し持ち上げた状態で、魚がエラスの釣り針に掛かるのを待つ。おもりを海底まで沈めた時に、釣り人は海底の状態が見えないので、おもりが海底の岩や海草などに引っ掛かる率が非常に高い。このため、おもり側ハリスの糸径を道糸側ハリスのものよりも細くし、おもり側ハリスを切れやすくしている。しかし、道糸側ハリスとおもり側ハリスとの糸径差はあまり大きくできないため、あるいは道糸側またはおもり側ハリスそのものの切断強度が不安定なために、道糸側ハリスがしばしば切れていた。また、おもり側ハリスが切れた場合、おもり側ハリスとおもり、および道糸側ハリスとおもり側ハリスとを再度結ぶ必要がある。この結び作業は、揺れている舟の中または足場の悪い場所などで行わねばならず、特に手袋をはめた作業、冬の寒い時期での作業などでは、困難かつ長時間を要する作業であった。さらに、胴付仕掛けを切ってしまうことは、釣り針付きの糸を海中に捨てることになり、海中の動物に大きな害を与え、現在環境問題の一つとなっている。
【０００４】
【発明が解決しようとする課題】
この発明は、おもりを釣り具用締結具から容易に切り離すことができ、繰返し使用可能な釣り具用締結具を提供することを課題としている。
【０００５】
【課題を解決するための手段】
上記課題を解決するために、この発明の釣り具用締結具は、一端に道糸が連結され、他端にコイルまたはフック状締結部が形成された締結部材と、前記締結部に係止され、逆Ｕ字形、ループ、またはフック状をしており、おもりが固着された係止片とを備えた釣り具用締結具であって、少なくとも前記締結部が超弾性を有する形状記憶合金からなり、前記おもりが固定された状態で前記道糸に引張荷重が作用したときに前記道糸の引張強度未満の引張荷重で前記締結部のコイルが解け、またはフックが開き締結部が引張荷重方向に伸びて締結部の係止が外れ、前記係止片とおもりとが一体となって締結部から切り離され、前記切離しののち締結部が元の形状に復帰することを特徴としている。
【０００６】
上記釣り具用締結具において、根掛りによりおもりが岩などに固定された場合、道糸を引っ張ると、締結部のコイルまたはフックが引張荷重方向に伸びる。これら締結部は超弾性記憶合金で作られているので、引張荷重により荷重方向に徐々に変形し、コイルが解け、またはフックが開いて直線状になり、係止片が締結部から容易に外れる。これにより、おもりは締結部材から切り離され、固定されたままとなる。係止片が外れて引張力が作用しなくなると、締結部は元の形状に戻り、永久変形することはない。したがって、釣り具用締結具は繰り返し使用することができる。道糸の引張強度未満の荷重で締結部のコイルが解け、またはフックが開くので、道糸が切断することはない。
【０００７】
上記釣り具用締結具において、道糸と締結部材とを仕掛けを介して連結してもよい。仕掛けを備えた釣り具であっても、おもりの根掛りにより仕掛けを失うことはない。
【０００８】
上記締結具または釣り具用締結具で、コイル状締結部のコイル素線の先端部がコイル内径側に向かって湾曲する鉤部となるようにしてもよい。鉤部により、取外し（切離し）荷重を高めることができる。また、おもりをコイル状締結部に取り付ける際、まず係止片をコイルの鉤部に引っ掛けたのち、おもりをコイルに沿って移動する。このようにすると、おもりを締結部に容易に取り付けることができる。
【０００９】
【発明の実施の形態】
図１は、この発明の釣り具用締結具の実施の１形態を示している。釣り具用締結具１１は、主として締結部材１３およびおもりＷが固着された係止片１９とからなっている。
【００１０】
締結部材１３の一端は道糸１２との連結部１５となっており、他端は締結部１７となっている。図１では、連結部１５がリングになっており、締結部１７がコイルとなっている。締結部材１３の端部をリング状に折り返し、止め金具１６で固定して、連結部１５を形成している。連結部１５と締結部１７との間は、直線部１４となっている。連結部１５には、道糸１２が止め金具１８で連結されている。締結部１７のコイルの巻数は、おもりＷに加わる引張荷重や形状記憶合金の強度などによって決まるが、１．５〜４巻程度が適当である。コイルの形状は円形に限らず、楕円形または小判形であってもよい。なお、道糸１２の材料として、高分子化合物、例えばナイロン、塩化ビニール、ポリエチレンなどが用いられる。
【００１１】
締結部材１３には、超弾性を有する形状記憶合金が使用されている。形状記憶合金は、温度を上げると変形前の形に形状が回復することで知られているが、同時にゴムのように伸び縮みし、通常の金属材料の１５〜２０倍もの弾性限界を有する超弾性という特性を持っている。こういった特性を持つ形状記憶合金は数十種類以上も発見されているが、実用的にはＮｉＴｉ系合金、Ｃｕ系合金などに絞られている。形状記憶効果および超弾性とも、熱弾性型マルテンサイト変態という特異な変態現象に起因することはよく知られており、近年いろいろな用途にこの合金が使用されるようになった。特に、超弾性合金としてブラジャワイヤ、携帯電話アンテナ、メガネフレームなどに応用され、弾性を要求される用途には極めて大きな効果を発揮している。特にＮｉＴｉ系形状記憶合金は形状記憶特性、超弾性特性が他の形状記憶合金と比較し際立っており、また優れた耐食性を併せ持っているので、この発明に用いる形状記憶合金としては最も好ましい材料である。超弾性はＡｆ変態温度（オーステナイト変態終了温度）以上で出現する現象である。用途が釣り具である場合、Ａｆは０℃以下に成分調整された形状記憶合金が最適である。ＮｉＴｉ合金組成としては、ＮｉＴｉ２元合金、ＮｉＴｉ合金にＣｏ、Ｖ、Ｃｒ、Ｆｅのうち少なくとも１元素を添加元素としてそれぞれ２原子％以下添加したもの、またはＣｕもしくはＮｂを１５原子％以下添加したものが用いられる。
【００１２】
係止片１９は、逆Ｕ字形、ループ、またはフック状をしており、金属または非金属材料で作られている。係止片１９は、締結部１７のコイル内を通り、端部がおもりＷに固着されている。また、係止片１９は、おもりＷに一体として製作され、またはかしめ、溶接、ろう付け、もしくは接着剤などによりおもりに固着されている。
【００１３】
上記のように構成された釣り具用締結具１１において、係止片１９をコイル状締結部１７に引っ掛け、おもりＷを締結部材１３を介して道糸１２に締結する。道糸１２を水平移動、昇降、巻下げ・巻上げなどにより、おもりＷを所定の位置に移動する。おもりが根掛りのように意図しない位置で固定された場合、道糸１２を引っ張り、引張力があらかじめ設定した取外し荷重に達すると、締結部１７のコイルが解けて引張力方向に伸び、係止片１９が締結部１７から外れる。取外し荷重は、道糸１２の引張強度未満であり、形状記憶合金の見掛降伏荷重（応力誘起マルテンサイト変態荷重）、コイルの形状、巻数などによって調整する。
【００１４】
図２に示す釣り具用締結具２１は、道糸１２と締結部材２３とが連結金具２５を介して接続され、締結部材２３の締結部２７がフックとなっている点で、図１の釣り具用締結具１１と異なっている。連結金具２５は円筒状をしており、一端に道糸１２の端部が、他端に締結部材２３の端部がそれぞれ挿入されている。道糸１２および締結部材２３は、かしめにより固着されている。この固着は、溶接、ろう付け、接着剤などによってもよい。締結部２７のフックは円弧状をしており、引張荷重が上記設定荷重に達する前に係止片２９が締結部２７から外れないようにするために円であることが望ましい。また、締結部２７のフックは、先端部が開いた楕円形または小判形であってもよい。係止片２９は、締結部２７をこれの湾曲する内側を通って端がおもりＷに固着されている。
【００１５】
図３に示す締結部材３１は、連結部３４がコイルとなっており、直線部が円筒状の連結金具３５の一端に挿入されている。締結部材３２の本体３３は、一端が連結金具３５に挿入されており、他端はコイルまたはフック状締結部となっている。連結部３４のコイルおよび本体３３の連結金具３５への挿入部は、かしめで固着されている。この固着は、溶接、ろう付け、接着剤などによってもよい。連結部３４のコイルはステンレス鋼などの金属で、また締結部材３２は形状記憶合金でそれぞれ作られている。道糸の端部に形成したリング（図示しない）を連結部３４のコイルに通し、道糸と締結部材３２とを連結する。締結部材３２は全体をすべて形状記憶合金で一体成型することが望ましいが、図３に示すように連結部３４と連結部材３２とを別体とすることにより、高価な形状記憶合金の使用量を少なくすることができる。なお、連結部がコイルまたはリングとなっている場合、これらは締結部のコイルよりも十分大きな強度を持ち、容易に変形しないような線、およびコイルまたはリング径とすることが必要である。
【００１６】
図４に示す締結部材３７のコイル状締結部３８は、コイルの素線の先端部がコイル内径側に向かって湾曲する鉤部３９となっている。道糸（図示しない）を引っ張り、コイルが直線状に伸びた時に、係止片（図示しない）が鉤部３９に引っ掛かる。鉤部３９は引張荷重により直線状に伸びるまでおもりを保持するので、取外し荷重を高くすることができる。また、おもりに固着した係止片を鉤部３９に引っ掛けたのち、おもりを締結部３８のコイルに沿って移動する。このようにすると、おもりをコイルに容易に取り付けることができる。
【００１７】
図１〜４で説明した釣り具用締結具において、道糸とおもりとは、天秤または猿環を介して連結してもよい。おもりが根掛かりして、道糸にある一定の引張荷重が加わると、おもりが外れるように設計されている。おもりが取り外される荷重は、使用する道糸の強度よりやや低い値となるように設定されており、道糸が切れる前に天秤などの仕掛けが回収できるようになっている。取外し荷重は使用する形状記憶合金材の太さ、締結部のコイル径や形状により調整することができる。また、天秤を使用しない仕掛けにおいても、この発明の釣り具用締結具はおもりと仕掛け部をつなぐ釣り具用締結具として使用できる。連結部をコイルとすることにより、猿環などの結合具なしで天秤が容易に取り付けられる。
【００１８】
【実施例】
釣り具用締結具は、締結部材の上部をリングに形成し、ステンレス鋼管によりリングの端末をかしめて天秤と締結部材とを接合している。締結部材は、冷間加工した５０．８原子％Ｎｉ−Ｔｉ形状記憶合金丸線を図１に示す形状に成型加工した。ついで、４００℃で２０分間熱処理することにより記憶処理した。ＮｉＴｉ合金丸線は０．３〜１．０ｍｍの線径を持ち、リングの内径は３〜８ｍｍである。直線部の長さは１０〜７０ｍｍ、コイルの内径は３〜８ｍｍで巻き数は１．５〜３である。
【００１９】
図５は上記実施例において、締結部のコイルの内径を５ｍｍ、巻き数を１．７５とした場合のＮｉＴｉ形状記憶合金線材の線径と取外し荷重との関係を示した線図である。このようにＮｉＴｉ形状記憶合金線の線径を変えることにより、任意に取外し荷重を設定することができ、また使用する道糸の強度に合った釣り具用締結具を選定することができる。
【００２０】
図６は、この発明の釣り具用締結具を実際に取り付けた釣り仕掛けの一例を示している。釣り竿５１に取り付けられたスピニングリール５２から道糸４３が出ており、道糸５３の先端には金属製の天秤５４が取り付けられている。天秤５４の一端にはハリス５５および釣り針５６がつながっている。天秤５４のもう一方の端にはこの発明の釣り具用締結具１１が取り付けられ、釣り具用締結具１１のコイル状締結部１７にはおもりＷが接続されている。
【００２１】
図７は、図１の釣り具用締結具１１が海底においてどのように機能するかを示したものである。図７ａは通常の状態、図７ｂはおもりＷが岩Ｒに引っ掛かり、引張力を加えた状況を示している。図７ｃは、引張力が取外し荷重を超え、おもりＷが外れた状況を示している。
【００２２】
【発明の効果】
以上説明したように、この発明の釣り具用締結具はおもりを釣り具用締結具から容易に切り離すことができ、また繰り返し使用可能である。また、釣り糸や仕掛けが海中に放置されることはないので、釣り具の被害を最小限で済ますことができ、また環境汚染を防止することもできる。
【図面の簡単な説明】
【図１】  （ａ）は形状記憶合金線により一体成型した釣り具用締結具の正面図であり、（ｂ）は（ａ）に示す釣り具用締結具の側面図である。
【図２】  （ａ）は締結部材が道糸と連結金具で連結された釣り具用締結具の正面図であり、（ｂ）は（ａ）に示す釣り具用締結具の側面図である。
【図３】  （ａ）は締結部材の連結部をコイル状に成形したものの正面図であり、（ｂ）は（ａ）に示す連結部の側面図である。
【図４】  コイルに鉤部を設けた締結部材の正面図である。
【図５】  ＮｉＴｉ合金線材の線径と取外し荷重との関係を示す線図である。
【図６】  この発明の釣り具用締結具を取り付けた仕掛け例を示す釣り具の模式図である。
【図７】  この発明の釣り具用締結具の動作を説明する図面である。
【符号の説明】
１１、２１  釣り具用締結具
１２、２２  道糸
１３、２３  締結部材
１４、２４  締結部材の直線部
１５  締結部材の連結部
１７  コイル状締結部
１８  止め金具
２５  連結金具
１９、２９  係止片
２７  フック状締結部
３１  釣り具用締結具
３２  締結部材
３４  リング状連結部
３７  締結部材
３８  コイル状締結部
３９  コイルの鉤部
５１  釣り竿
５２  スピニングリール
５３  道糸
５４  天秤
５５  ハリス
５６  釣り針
Ｗ  おもり
Ｒ  岩
【図１】
0003757043.tif 000002
【図２】
0003757043.tif 000003
【図３】
0003757043.tif 000004
【図４】
0003757043.tif 000005
【図５】
0003757043.tif 000006
【図６】
0003757043.tif 000007
【図７】
0003757043.tif 000008